【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
画像データの画像形成を行う画像形成手段と、
画像データを記憶するメモリとの間のデータ転送を制御するメモリ制御手段とを具備し、
前記画像形成手段は、前記メモリに格納されている前記画像データを取得するための制御情報をリクエストの送信先からの応答を必要としないPostedリクエストである第１のPostedリクエストを用いて前記メモリ制御手段に送信する画像形成手段であり、
前記メモリ制御手段は、前記画像形成手段から送信された前記第１のPostedリクエストを受信する場合、前記メモリに格納されている前記画像データを第２のPostedリクエストを用いて前記画像形成手段に送信するメモリ制御手段である、
ことを特徴とする画像形成装置。
【請求項２】
前記画像形成手段は、印刷画像の主走査方向の１ライン分のデータ転送に許容される時間周期で、前記制御情報を前記メモリ制御手段に送信する画像形成手段である、
ことを特徴とする請求項１記載の画像形成装置。
【請求項３】
前記画像形成手段は、ライン同期信号を最初に受信したタイミングで、前記制御情報を前記メモリ制御手段に送信する画像形成手段であり、
前記メモリ制御手段は、ライン同期信号を発生するライン同期信号発生手段を更に備え、前記画像形成手段から前記制御情報を受信する場合、前記ライン同期信号発生手段によって発生されたライン同期信号に同期したタイミングで、前記画像データを第２のPostedリクエストを用いて前記画像形成手段に送信するメモリ制御手段である、
ことを特徴とする請求項１記載の画像形成装置。
【請求項４】
前記画像形成手段は、前記制御情報を前記第１のPostedリクエストを用いて前記メモリ制御手段に通知してから前記メモリ制御手段が前記画像データを転送開始するまでの時間分を早めるために、ライン同期信号の出力タイミングの位相をずらす位相制御手段を更に備える画像形成手段である、
ことを特徴とする請求項１記載の画像形成装置。
【請求項５】
画像データの画像形成を行う画像形成手段と、
前記画像データを記憶するメモリと、
システム全体を制御するＣＰＵを介さずに前記メモリとの間でデータ転送を行うＤＭＡＣ（Direct  Memory  Access  Controller）を有するメモリ制御手段と、
前記メモリ制御手段に対して前記画像形成手段を接続するシリアル伝送路と、
を備え、
前記画像形成手段は、画像形成動作を実行する際に、前記メモリに格納された前記画像データを取得するためのＤＭＡＣ制御情報を、印刷画像の主走査方向の１ライン分のデータ転送に許容される時間周期でライン同期タイミングを生成して、リクエストの送信先からの応答を必要としないリクエストであるPostedリクエストによって前記メモリ制御手段に通知し、
前記メモリ制御手段は、前記画像形成手段より前記ＤＭＡＣ制御情報の通知を受けた場合、前記メモリから要求された前記画像データを取得するとともに、Postedリクエストによって前記画像形成手段に前記シリアル伝送路を介してデータ転送する、
ことを特徴とする画像形成装置。
【請求項６】
前記画像形成手段は、ライン同期信号を初めに受信した１回のみ、前記高速シリアル伝送路を介して前記ＤＭＡＣ制御情報を前記メモリ制御手段に出力し、
前記メモリ制御手段は、ライン同期信号を発生するライン同期信号発生手段を更に備え、前記画像形成手段から前記ＤＭＡＣ制御情報を受け取ると、前記ライン同期信号発生手段に前記画像形成手段におけるライン周期と同じ周期でライン同期信号を生成させ、当該ライン同期信号に従って前記ＤＭＡＣに対して前記ＤＭＡＣ制御情報を出力する、
ことを特徴とする請求項５載の画像形成装置。
【請求項７】
前記画像形成手段は、画像形成動作を実行する際に、前記ＤＭＡＣ制御情報を前記Postedリクエストによって前記メモリ制御手段に通知してから、通知を受けた前記メモリ制御手段の初めの前記画像データが転送され始めるまでに要する遅延時間だけ前記ライン同期信号のタイミングが早まるように、位相をずらして前記ライン同期信号を出力する位相制御手段を更に備える、
ことを特徴とする請求項５記載の画像形成装置。
【請求項８】
画像データを形成する画像形成手段は、リクエストの送信先からの応答を必要としないPostedリクエストである第１のPostedリクエストを用いて、メモリに格納されている前記画像データを取得するための制御情報をメモリ制御手段に送信し、
前記メモリ制御手段は、前記画像形成手段から送信された前記第１のPostedリクエストを受信する場合、第２のPostedリクエストを用いて、前記メモリに格納されている前記画像データを前記画像形成手段に送信する、
ことを特徴とするデータ転送方法。
【手続補正２】
【補正対象書類名】明細書
【補正対象項目名】発明の名称
【補正方法】変更
【補正の内容】
【発明の名称】画像形成装置およびデータ転送方法
【手続補正３】
【補正対象書類名】明細書
【補正対象項目名】０００１
【補正方法】変更
【補正の内容】
【０００１】
本発明は、プリンタ、デジタル複写機やＭＦＰ（Multifunction Printer）等の画像形成装置およびデータ転送方法に関する。
【手続補正４】
【補正対象書類名】明細書
【補正対象項目名】００１４
【補正方法】変更
【補正の内容】
【００１４】
本発明は、上記に鑑みてなされたものであって、高速なデータ転送性能を低コスト化を図った回路で実現することができる画像形成装置およびデータ転送方法を提供することを目的とする。
【手続補正５】
【補正対象書類名】明細書
【補正対象項目名】００１５
【補正方法】変更
【補正の内容】
【００１５】
上述した課題を解決し、目的を達成するために、画像データの画像形成を行う画像形成手段と、画像データを記憶するメモリとの間のデータ転送を制御するメモリ制御手段とを具備し、前記画像形成手段は、前記メモリに格納されている前記画像データを取得するための制御情報をリクエストの送信先からの応答を必要としないPostedリクエストである第１のPostedリクエストを用いて前記メモリ制御手段に送信する画像形成手段であり、前記メモリ制御手段は、前記画像形成手段から送信された前記第１のPostedリクエストを受信する場合、前記メモリに格納されている前記画像データを第２のPostedリクエストを用いて前記画像形成手段に送信するメモリ制御手段である。
また、本発明は、画像データの画像形成を行う画像形成手段と、前記画像形成手段に対して出力する前記画像データを記憶するメモリと、システム全体を制御するＣＰＵを介さずに前記メモリとの間でデータ転送を行うＤＭＡＣ（Direct  Memory  Access  Controller）を有するメモリ制御手段と、前記メモリ制御手段に対して前記画像形成手段を接続する高速シリアル伝送路と、を備え、前記画像形成手段は、画像形成動作を実行する際に、前記メモリに格納された前記画像データを取得するためのＤＭＡＣ制御情報を、印刷画像の主走査方向の１ライン分のデータ転送に許容される時間周期でライン同期タイミングを生成して、リクエストの送信先からの応答を必要としないリクエストであるPostedリクエストによって前記メモリ制御手段に通知し、前記メモリ制御手段は、前記画像形成手段より前記ＤＭＡＣ制御情報の通知を受けた場合、前記メモリから要求された前記画像データを取得するとともに、Postedリクエストによって前記画像形成手段に前記高速シリアル伝送路を介してデータ転送する。